(57)【要約】      （修正有）【課題】つまみの回転により、内容物の出入とともに蓋を自動的にオープン可能なケースを提供する。【解決手段】ケース１が直方体であり、頂部には連結軸カバー２１が設けられ、底部にはつまみ３が接続し、内部がキャビティａ１１とキャビティｂ１２に分かれ、１つの長い空隙１３により２つのキャビティを貫通させ、キャビティｂ内にはねじ付きの回転軸２が設けられ、先端には連結軸カバーが接続し、他端に連動歯車２２が設けられ、連動歯車が連結歯車３２に接続し、連結歯車が駆動歯車３１に接続し、駆動歯車がつまみの表面に位置し、つまみがケースの底面に接続し、回転でき、ねじ付きの回転軸には回転軸ディスク２３が設けられ、回転軸ディスクの雌ねじ付きの孔２３１がねじ付きの回転軸に接続し、キャビティａ内に１つの荷重台２３２が設けられ、荷重台にＵＳＢフラッシュディスク２３２１を上向きに収容している。【選択図】図２
0003200553.tif 000002
【実用新案登録請求の範囲】
【請求項１】
蓋を自動的にオープン可能なケースであって、ケースは直方体であり、頂部には連結軸カバーが設けられ、底部にはつまみが接続し、内部がキャビティａとキャビティｂに分かれ、キャビティａとキャビティｂとの間に１つの長い空隙により２つのキャビティを貫通させ、キャビティｂ内にはねじ付きの回転軸が設けられ、ねじ付きの回転軸の先端には連結軸カバーが接続し、他端に連動歯車が設けられ、連動歯車が連結歯車に接続し、連結歯車が駆動歯車に接続し、駆動歯車がつまみの表面に位置し、つまみがケースの底面に接続し、回転することもでき、ねじ付きの回転軸には回転軸ディスクが設けられ、回転軸ディスクはキャビティｂにおいて雌ねじ付きの孔がねじ付きの回転軸に接続し、キャビティａ内に１つの荷重台が設けられ、荷重台にはＵＳＢフラッシュディスクなどの内容物を収容し、ＵＳＢインターフェースが上へ向き、底部が荷重台に接続することを特徴とする蓋を自動的にオープン可能なケース。
【請求項２】
連結軸カバー、ねじ付きの回転軸およびつまみは一体成形される機能であり、つまみが歯車を駆動して回転させ、従ってねじ付きの回転軸を駆動して回転させ、先端の連結軸カバーもそれに従って回転し、三者が同期して回転し、かつオープンする時に、つまみが反時計回りに回り、オープンすることを特徴とする請求項１に記載の蓋を自動的にオープン可能なケース。
【請求項３】
連動歯車はねじ付きの回転軸の他端に位置し、連結歯車がケース底面とつまみ表面との間に固定され、駆動歯車がつまみ表面の中心位置に固定され、三者が同一平面にあることを特徴とする請求項１に記載の蓋を自動的にオープン可能なケース。
【請求項４】
ＵＳＢフラッシュディスクの先端と連結軸カバーとの間に一定の距離間隔を有し、つまみを回転することで上昇高度を予め設置し、従って一定の角度を回転した後に、連結軸カバーをオープンし、さらに回転し、回転軸ディスクが続いて上昇し、ＵＳＢインターフェースがケースから伸びだすことを特徴とする請求項１に記載の蓋を自動的にオープン可能なケース。
【請求項５】
ケースの頂部には止め板構造が設けられ、閉める時に回転し過ぎる問題を防止し、かつ出口箇所と、連結軸カバー又はつまみ表面と、およびケース底部とはリブを設置することで操作目的でない回転の発生を防止することを特徴とする請求項１に記載の蓋を自動的にオープン可能なケース。
【請求項６】
連結軸カバーは、そのオープン角度がねじ付きの回転軸軸心がキャビティｂ内にある位置に関連し、すなわち、軸心がキャビティｂの外辺縁に位置し、キャビティａから離れると、小さい角度のオープンを実現することを特徴とする請求項１に記載の蓋を自動的にオープン可能なケース。
【請求項７】
荷重台の底面は１つの平面であり、必要に応じてその周囲にバリアを増加することができ、荷重台におけるＵＳＢフラッシュディスクが採用したインターフェースはＵＳＢインターフェースであることを特徴とする請求項１に記載の蓋を自動的にオープン可能なケース。
【考案の詳細な説明】
【技術分野】
【０００１】
本案は蓋を自動的にオープン可能なケースに関する。
【背景技術】
【０００２】
従来、市場では、ＵＳＢフラッシュディスク、固体ゲル、口紅などの製品は、いずれも蓋を取って使用することができ、ある製品はつまみを回転してオープンする機能を有するが、蓋を取る必要があり、さらにつまみを回転して使用する必要があり、連結軸カバーの機能を有していない。
【考案の概要】
【考案が解決しようとする課題】
【０００３】
本案の目的は蓋を自動的にオープン可能なケースを提供し、つまみを回転することで内容物がケース包装内に出入りすることを実現し、それと同時に連結軸カバーをオープンすることを可能にする。
【課題を解決するための手段】
【０００４】
前記目的を実現するために、本案は以下の技術方案を提供する。
【０００５】
蓋を自動的にオープン可能なケースは、ケースが直方体であり、頂部には連結軸カバーが設けられ、底部にはつまみが接続し、内部がキャビティａとキャビティｂに分かれ、キャビティａとキャビティｂとの間に１つの長い空隙により２つのキャビティを貫通させ、キャビティｂ内にはねじ付きの回転軸が設けられ、ねじ付きの回転軸の先端には連結軸カバーが接続し、他端に連動歯車が設けられ、連動歯車が連結歯車に接続し、連結歯車が駆動歯車に接続し、駆動歯車がつまみの表面に位置し、つまみがケースの底面に接続し、回転することもでき、ねじ付きの回転軸には回転軸ディスクが設けられ、回転軸ディスクはキャビティｂにおいて雌ねじ付きの孔がねじ付きの回転軸に接続し、キャビティａ内に１つの荷重台が設けられ、荷重台にはＵＳＢフラッシュディスクなどの内容物を収容し、ＵＳＢインターフェースが上へ向き、底部が荷重台に接続する。
【０００６】
さらに、連結軸カバー、ねじ付きの回転軸およびつまみは一体成形された機構であり、つまみが歯車を駆動して回転させることで、ねじ付きの回転軸を駆動して回転させ、先端の連結軸カバーもそれに伴って回転し、三者が同期に回転し、かつオープンする時に、つまみが通常は、反時計回りに回ってオープンする。
【０００７】
さらに、連動歯車がねじ付きの回転軸の他端に位置し、連結歯車がケースの底面とつまみの表面との間に固定され、駆動歯車がつまみ表面の中心位置に固定され、三者が同一平面にある。
【０００８】
さらに、ＵＳＢフラッシュディスクの先端と連結軸カバーとの間に一定の距離間隔を有し、つまみを回転することで上昇高度を予め設定することで、一定の角度を回転した後に、連結軸カバーをオープンし、さらに回転し、回転軸ディスクが続いて上昇し、ＵＳＢインターフェースがケースから伸びだす。
【０００９】
さらに、ケースの頂部に止め板構造を設置することができ、閉める時に回転し過ぎる問題を防止し、かつ出口箇所と、連結軸カバー又はつまみ表面と、ケース底部とはリブを設置することで人間によらない回転の発生を防止する。
【００１０】
さらに、連結軸カバーは、そのオープン角度がねじ付きの回転軸の軸心がキャビティｂ内に位置した位置に関連し、すなわち、軸心がキャビティｂの外辺縁に位置し、キャビティａから離れると、小い角度のオープンを実現することができ、軸心がキャビティｂの中心位置にあると、連結軸カバーをオープンするために大きな角度が必要である。
【００１１】
さらに、荷重台の底面が１つの平面であり、必要に応じてその周囲のバリアを増加することができ、荷重台にはＵＳＢフラッシュディスクを設置することが最適であり、それと同時に荷重台にはＭＰ３や、口紅、キーなどのようなそのほかの内容物をロードすることもでき、インターフェースはＵＳＢインターフェースの以外に、ＭｉｃｒｏＵＳＢ、充電器継手などであってもよい。
【００１２】
さらに、回転過程は蓋を取ることと、内容物が伸びだすことという２つの部分に分かれる。
【００１３】
さらに、オープン過程全体において回転角度は通常に１８０度を超えず、一回で完成する。
【００１４】
さらに、連結軸カバーが９０度回転する時に、ＵＳＢフラッシュディスクがケースの出口箇所まで上昇し、連結軸カバーが１８０度回転する時に、ＵＳＢフラッシュディスクのインターフェースが完全にケースの外部へ伸びだして、使用に供される。
【００１５】
さらに、つまみを回転して連結軸カバーをオープンすることができ、回転すると同時に、ねじ付きの回転軸により回転軸ディスクを垂直に持ち上げて、最終に蓋を取って内容物がすぐに出るという目的を実現する。
【００１６】
さらに、連結軸カバーのオープンと内容物の上昇との間の時間差および距離に基づいて、連結軸カバーをオープンすると同時に内容物の出入りには影響しない。
【００１７】
さらに、つまみの周囲に一周の凸起したバリアを有し、このバリアは歯車を隠すために設けられている。
【００１８】
さらに、連結軸カバーの回転軸がキャビティａから離れた時には、ケースの外壁と３０度の角を形成するだけで、連結軸カバーをオープンすることができ、連結軸カバーの回転軸がキャビティａに近寄った時には、連結軸カバーを完全にオープンするためにケースの外壁と９０度の角をなす必要がある。
【００１９】
さらに、ケースとつまみとの間の接続は、回転軸の外輪に一周の突出物が設けられ、かつケースの底部の内輪に一周の突出物が設けられることで実現し、両者が結合して接続し、かつ回転可能になるという目的を実現する。
【００２０】
さらに、部材全体の成形は主にプラスチック製品を採用する。
【００２１】
さらに、ケースは金属製品を採用して製造することもできる。
【００２２】
さらに、ケースは内容物の違いにより、外形は円柱体または多面体などであってもよく、高さもユーザーの希望に応じて設計できる。
【考案の効果】
【００２３】
本案の優れた效果は、蓋を自動的にオープン可能なケースの構造を改良することで、ケース内に塗布体などの内容物を収容する時に、製品の中間に孔があるという問題を効果的に避けることができることである。つまみにより内容物を垂直に持ち上げ、かつ連結軸カバーを同時にオープンする効果を実現することができ、従来の関連製品が有しない機能である。それは塗布体などの内容物を収容することができ、そのほかの内容物、例えば、ＵＳＢフラッシュディスク、ＭＰ３、口紅、キーなどを収容するこもでき、インターフェースはＵＳＢインターフェース以外に、ＭｉｃｒｏＵＳＢ、充電器継ぎ手などであってもよい。
【００２４】
ケースの外観が簡潔であり、統一されており、使用が便利であり、製造コストが比較的低く、優れた効果があり、その機能が使用する際に新しい感覚をもたらす。それは手間を省く、より使いやすい新型のケースに属し、多くの製品に対して優れた外包装構成を提供することを可能にする。
【図面の簡単な説明】
【００２５】
【図１】本案の断面構成を模式的に示す図である。
【図２】本案の立体断面構成を模式的に示す図である。
【図３】本案の内部部材の構成を模式的に示す図である。
【図４】本案のオープンした後の効果を模式的に示す図である。
【図５】本案のケースの構成を模式的に示す図である。
【図６】本案の歯車が結合した時の上面図である。
【考案を実施するための形態】
【００２６】
以下、図面および具体的な実施形態に合わせて本案をさらに詳しく説明する。
【００２７】
図１〜６に示すように、蓋を自動的にオープン可能なケースは、ケース１が直方体であり、頂部には連結軸カバー２１が設けられ、底部につまみ３が接続され、内部がキャビティａ１１とキャビティｂ１２に分かれ、キャビティａ１１とキャビティｂ１２との間に１つの長い空隙１３を有して２つのキャビティを連通させ、キャビティｂ１２内にねじ付きの回転軸２が設けられ、ねじ付きの回転軸２の先端に連結軸カバー２１が接続され、他端に連動歯車２２が接続され、連動歯車２２が連結歯車３２に接続し、連結歯車３２が駆動歯車３１に接続し、駆動歯車３１がつまみ３の表面に位置し、つまみ３がケース１の底面に接続し、かつ回転可能であり、ねじ付きの回転軸２には回転軸ディスク２３が設けられ、回転軸ディスク２３はキャビティｂ１２において雌ねじ付きの孔２３１がねじ付きの回転軸２に接続し、キャビティａ１１に１つの荷重台２３２が設けられ、荷重台２３２にはＵＳＢフラッシュディスク２３２１などの内容物を収容し、ＵＳＢインターフェース２３２１１が上へ向き、底部２３２１２が荷重台２３２に接続する。
【００２８】
使用時に、つまみ３を回転させ、連結軸カバー２１がつまみ３とともに回転すると同時に、ねじ付きの回転軸２も回転する。ねじ付きの回転軸２が回転する時に回転軸ディスク２３を上へ持ち上げて、連結軸カバー２１が完全にオープンする時に、回転軸ディスク２３における内容物がケース１の開口箇所まで少しだけ上がる。さらに回転させると、内容物、例えば、ＵＳＢフラッシュディスク２３２１は順調にケース１から伸びだし、人間の使用に供される。通常には、すべてのオープン過程の回転角度が１８０度を超えず、蓋を取ることから内容物が伸びだすまで、一回のつまみ回転により完成する。
【符号の説明】
【００２９】
１  ケース
１１  キャビティａ
１２  キャビティｂ
１３  長い空隙
２  ねじ付きの回転軸
２１  連結軸カバー
２２  連動歯車
２３  回転軸ディスク
２３１  雌ねじ付きの孔
２３２  荷重台
２３２１  ＵＳＢフラッシュディスク
２３２１１  ＵＳＢインターフェース
２３２１２  底部
３  つまみ
３１  駆動歯車
３２  連結歯車。
【図１】
0003200553.tif 000003
【図２】
0003200553.tif 000004
【図３】
0003200553.tif 000005
【図４】
0003200553.tif 000006
【図５】
0003200553.tif 000007
【図６】
0003200553.tif 000008